(57)【要約】【課題】表示装置の色調設定に基づいて色調補正を行った画像を印刷するようにプリンタを制御可能な画像再生装置、及び印刷システムを提供する。【解決手段】本発明の画像再生装置は、操作部と、接続部と、符号化画像を生成する画像生成部とを備えている。また、所定形式の印刷用情報を符号化画像より生成する印刷用情報生成部を備えている。また、表示装置が表示画像の色調補正に用いる色調情報を接続部により表示装置から取得する制御情報取得部を備えている。また、所定操作検知時に、接続部が出力している画像信号より符号化画像を生成するとともに、取得した色調情報に基づいて符号化画像の色調補正を行うよう画像生成部を制御する生成制御部を備えている。また、色調補正がなされた符号化画像より印刷用情報を生成するよう印刷用情報生成部を制御し、印刷用情報及び印刷指示を印刷装置へ送信する印刷制御部を備えている。【選択図】図１
2010288034.tif 000002
【特許請求の範囲】
【請求項１】
操作指示を受け付ける操作部と、
表示装置又は印刷装置を接続して画像信号を含む情報信号を入出力する接続部と、
画像信号より予め定められた符号化方式の符号化画像を生成する画像生成部と、
前記印刷装置が印刷に用いるために予め形式が定められた印刷用情報を前記符号化画像より生成する印刷用情報生成部とを備えた画像再生装置において、
前記接続部を用いて前記表示装置と通信を行うことにより、前記表示装置が画像の表示制御に使用する制御情報を前記表示装置から取得する制御情報取得部と、
前記操作部が予め定められた操作を検知した場合に、前記検知の時点において前記接続部が出力している画像信号より符号化画像を生成するとともに、該符号化画像を前記制御情報に基づいて補正するよう前記画像生成部を制御する生成制御部と、
前記補正がなされた該符号化画像より前記印刷用情報を生成するよう前記印刷用情報生成部を制御し、生成された該印刷用情報及び印刷指示を前記接続部を用いて前記印刷装置へ送信する印刷制御部とを備えること
を特徴とする画像再生装置。
【請求項２】
前記制御情報取得部が、前記表示装置が画像の色調補正に用いる色調情報を前記制御情報として取得し、
前記生成制御部が、生成した符号化画像を前記色調情報に基づいて色調補正するよう前記画像生成部を制御する、
請求項１に記載の画像再生装置。
【請求項３】
前記接続部が、ＨＤＭＩ（High-Definition Multimedia Interface）端子を備え、
前記印刷制御部が、前記ＨＤＭＩ端子を用い、且つ制御プロトコルとしてＣＥＣ（Consumer Electronics Control）を用いて前記印刷用情報及び印刷指示を前記印刷装置へ送信する、
請求項１に記載の画像再生装置。
【請求項４】
前記接続部がＨＤＭＩ端子を備え、
前記色調情報取得部が、前記ＨＤＭＩ端子を用い、且つ制御プロトコルとしてＣＥＣを用いて前記色調情報を前記表示装置より取得する、
請求項１に記載の画像再生装置。
【請求項５】
前記生成制御部が、前記操作部により予め定められた操作が検知された場合に、前記検知の時点から予め定められた期間内において前記接続部が出力した画像信号より前記符号化画像を複数生成するよう前記画像生成部を制御し、
前記印刷制御部が、前記複数の符号化画像の中から一符号化画像を選択する選択指示を受け付け、前記選択指示により選択された符号化画像より前記印刷用情報を生成するよう前記印刷用情報生成部を制御する、
請求項１に記載の画像再生装置。
【請求項６】
前記生成制御部が、前記操作部により予め定められた操作が検知された場合に、前記検知の時点から予め定められた期間内において前記接続部が出力した画像信号に含まれるフレームのうち単独で複合化可能なフレームより前記符号化画像を生成するよう前記画像生成部を制御する、
請求項５に記載の画像再生装置。
【請求項７】
表示装置、印刷装置、及び画像再生装置を含む印刷システムにおいて、
前記画像再生装置が、前記表示装置又は前記印刷装置を接続して画像信号を含む情報信号を入出力する接続部と、
画像信号より予め定められた符号化方式の符号化画像を生成する画像生成部と、
前記印刷装置が印刷に用いるために予め形式が定められた印刷用情報を前記符号化画像より生成する印刷用情報生成部と、
前記表示装置が画像の表示制御に使用している制御情報の取得リクエストを、前記接続部を用いて前記表示装置へ送信する制御情報取得部と、
前記操作部が予め定められた操作を検知した場合に、前記検知の時点において前記接続部が出力している画像信号より符号化画像を生成するとともに、該符号化画像を前記制御情報に基づいて補正するよう前記画像生成部を制御する生成制御部と、
前記補正がなされた該符号化画像より前記印刷用情報を生成するよう前記印刷用情報生成部を制御し、生成された該印刷用情報及び印刷指示を前記接続部を用いて前記印刷装置へ送信する印刷制御部とを備え、
前記表示装置が、前記制御情報取得部より前記取得リクエストを受け付け、前記画像再生装置へ前記制御情報を送信する制御部を備えること
を特徴とする印刷システム。
【請求項８】
前記表示装置の備える制御部が、前記取得リクエストを受け付けた場合に、前記表示装置が画像の色調補正に用いる色調情報を前記制御情報として前記画像再生装置へ送信し、
前記生成制御部が、生成した符号化画像を前記色調情報に基づいて色調補正するよう前記画像生成部を制御する、
請求項７に記載の印刷システム。
【発明の詳細な説明】
【技術分野】
【０００１】
本発明は、画像再生装置、及び印刷システムに関するものであり、特に表示装置とプリンタとに接続されて画像の印刷制御を行う画像再生装置、及び印刷システムに関する。
【背景技術】
【０００２】
近年、デジタル技術の多機能化、多様化により、ＤＶＤ（Digital Versatile Disc）プレーヤやＨＤＤ（Hard Disk Drive）レコーダ等の様々な画像再生装置が普及している。これらの画像再生装置は、ＤＶＤやＨＤＤに記録されている画像／音声デジタルデータをデコードすることにより、画像／音声信号をテレビジョン装置やモニタ、又はスピーカ等に出力する。
【０００３】
デジタル方式の画像再生装置の特徴として、画像／音声信号を出力するだけではなく、画像／音声デジタルデータをその他の装置、例えばパソコンやプリンタ等に転送する機能を備えたものが実用化されている。具体的には、ＨＤＭＩ（High-Definition Multimedia Interface）端子により画像再生装置、パソコン、プリンタ等を相互接続し、ＣＥＣ（Consumer Electronics Control）をプロトコルとして通信制御を行うことにより、相互にデータ通信を行うことが可能である。
【０００４】
ＣＥＣを用いることにより、例えば画像再生装置が表示する画面上でプリンタの印刷操作を行ったり、画像再生装置の電源ＯＮ／ＯＦＦとプリンタの電源ＯＮ／ＯＦＦとを同期させるといった、装置間での連動処理を実現することが可能である。
【０００５】
上記に関連して特許文献１においては、プリンタと通信可能な画像再生装置において、報知すべき事象がプリンタにおいて発生した場合でも、ユーザの視聴が妨げられることがなく、また不要な画像が録画されることのない画像再生装置が開示されている。
【０００６】
この画像再生装置は、報知すべき事象が印刷装置において発生したことを検出した場合に、合成手段を用いて情報の合成を開始する合成手段を備えている。また、判別手段の判別した表示用画像の種別に応じて、蓄積部に表示用画像を蓄積させる制御手段とを備えている。
【０００７】
また上記に関連して特許文献２においては、画像データを印刷する場合に、プリンタ等の受信ノードがデコーダを具備するか否かによらずデータ転送を効率的に行うことができるデータ通信システムが開示されている。
【０００８】
このデータ通信システムは、転送されるデータ、例えば印刷や画面表示のための画像データに関して、同一内容のデータを転送する転送先となるノードが複数個存在する場合に、デコーダを具備しているものに対しては圧縮データを転送する。またデコーダを具備していないノードに対しては、非圧縮データを転送する。これにより、デコード機能の異なる複数のノードに対してデータ転送を円滑に行うことができる。
【先行技術文献】
【特許文献】
【０００９】
【特許文献１】特開２００８−１０９３１６号公報
【特許文献２】特開平１１−１１２５３３号公報
【発明の概要】
【発明が解決しようとする課題】
【００１０】
しかしながら、上記のように表示装置に表示されている画像をユーザが視聴しながら印刷装置で印刷を行う場合、表示装置の色調設定と印刷装置の色調設定とが必ずしも一致しているとは限らない。従って、実際に画面に表示されている色調とは異なる色調の画像、例えばコントラストやブライトネス等が異なる画像が印刷されてしまう場合があった。
【００１１】
この問題に関しては、印刷時に色調補正に関する各種設定指示をユーザより受け付ける方法も考えられるが、手間がかかる上に、色調補正を直感的に行えないという問題があった。このため、ユーザが望む色調での印刷がなされるまで、テスト印刷を繰り返し行う必要があるという問題があった。
【００１２】
本発明は、上記の問題を鑑みてなされたものであり、プリンタ及び表示装置に接続可能な画像再生装置であって、再生中の画像の印刷制御を行うことが可能であるとともに、表示装置の色調設定に基づいて色調補正を行った画像を印刷するようにプリンタを制御可能な画像再生装置、及び印刷システムを提供することを目的とする。
【課題を解決するための手段】
【００１３】
上記目的を達成するために本発明の画像再生装置は、操作指示を受け付ける操作部と、表示装置又は印刷装置を接続して画像信号を含む情報信号を入出力する接続部と、画像信号より予め定められた符号化方式の符号化画像を生成する画像生成部と、前記印刷装置が印刷に用いるために予め形式が定められた印刷用情報を前記符号化画像より生成する印刷用情報生成部とを備えた画像再生装置において、前記接続部を用いて前記表示装置と通信を行うことにより、前記表示装置が画像の表示制御に使用する制御情報を前記表示装置から取得する制御情報取得部と、前記操作部が予め定められた操作を検知した場合に、前記検知の時点において前記接続部が出力している画像信号より符号化画像を生成するとともに、該符号化画像を前記制御情報に基づいて補正するよう前記画像生成部を制御する生成制御部と、前記補正がなされた該符号化画像より前記印刷用情報を生成するよう前記印刷用情報生成部を制御し、生成された該印刷用情報及び印刷指示を前記接続部を用いて前記印刷装置へ送信する印刷制御部とを備えることを特徴としている。
【００１４】
この構成によると、本発明の画像再生装置は、操作指示を受け付ける操作部と、画像信号を含む情報信号を入出力する接続部とを備えている。また、画像信号より所定の符号化方式の符号化画像を生成する画像生成部を備えている。また、印刷装置が印刷可能な所定形式の印刷用情報を符号化画像より生成する印刷用情報生成部を備えている。また、表示装置が画像の表示制御に用いる制御情報を接続部により表示装置から取得する制御情報取得部を備えている。また、所定操作を検知した場合に、検知時において接続部が出力している画像信号より符号化画像を生成するとともに、符号化画像を取得した制御情報に基づいて補正を行うよう画像生成部を制御する生成制御部を備えている。また、補正がなされた符号化画像より印刷用情報を生成するよう印刷用情報生成部を制御し、生成された印刷用情報及び印刷指示を印刷装置へ送信する印刷制御部を備えている。これにより、表示装置より取得した制御情報による補正を行った画像を、印刷装置で印刷することが可能である。
【００１５】
また、上記目的を達成するために本発明の画像再生装置は、前記制御情報取得部が、前記表示装置が画像の色調補正に用いる色調情報を前記制御情報として取得し、前記生成制御部が、生成した符号化画像を前記色調情報に基づいて色調補正するよう前記画像生成部を制御する。
【００１６】
この構成によると、制御情報取得部は、表示装置が画像を表示する際に色調補正に用いる色調情報を、上述の制御情報として取得する。生成制御部は、生成された符号化画像を、取得した色調情報に基づいて色調補正を行うよう画像生成部を制御する。これにより、表示装置より取得した色調情報を利用して色調補正を行った画像を、印刷装置で印刷することが可能である。
【００１７】
また、上記目的を達成するために本発明の画像再生装置は、前記接続部が、ＨＤＭＩ（High-Definition Multimedia Interface）端子を備え、前記印刷制御部が、前記ＨＤＭＩ端子を用い、且つ制御プロトコルとしてＣＥＣ（Consumer Electronics Control）を用いて前記印刷用情報及び印刷指示を前記印刷装置へ送信する。
【００１８】
この構成によると、接続部はＨＤＭＩ端子を備えている。また印刷制御部は、印刷用情報及び印刷指示を印刷装置へ送信する場合に、制御プロトコルとしてＣＥＣを用いて通信を行う。これにより、既存の通信装置及び制御プロトコルを用いて、印刷用情報及び印刷指示を容易に伝送することができる。
【００１９】
また、上記目的を達成するために本発明の画像再生装置は、前記接続部がＨＤＭＩ端子を備え、前記色調情報取得部が、前記ＨＤＭＩ端子を用い、且つ制御プロトコルとしてＣＥＣを用いて前記色調情報を前記表示装置より取得する。
【００２０】
この構成によると、接続部はＨＤＭＩ端子を備えている。また色調情報取得部は、色調情報を表示装置より取得する場合に、制御プロトコルとしてＣＥＣを用いて通信を行う。これにより、既存の通信装置及び制御プロトコルを用いて、色調情報を容易に取得することができる。
【００２１】
また、上記目的を達成するために本発明の画像再生装置は、前記生成制御部が、前記操作部により予め定められた操作が検知された場合に、前記検知の時点から予め定められた期間内において前記接続部が出力した画像信号より前記符号化画像を複数生成するよう前記画像生成部を制御し、前記印刷制御部が、前記複数の符号化画像の中から一符号化画像を選択する選択指示を受け付け、前記選択指示により選択された符号化画像より前記印刷用情報を生成するよう前記印刷用情報生成部を制御する。
【００２２】
この構成によると、生成制御部は、所定操作が検知された場合に、検知時点から所定期間内において接続部が出力した画像信号より符号化画像を複数生成する。印刷制御部は、生成された複数の符号化画像のサムネイルを表示装置へ出力する等して、複数の符号化画像の中から一符号化画像が選択されるのを受け付ける。そして選択された符号化画像より印刷用情報を生成するよう、印刷用情報生成部を制御する。このためユーザは、複数の印刷候補画像の中から印刷する画像を選択することが可能である。
【００２３】
また、上記目的を達成するために本発明の画像再生装置は、前記生成制御部が、前記操作部により予め定められた操作が検知された場合に、前記検知の時点から予め定められた期間内において前記接続部が出力した画像信号に含まれるフレームのうち単独で複合化可能なフレームより前記符号化画像を生成するよう前記画像生成部を制御する。
【００２４】
この構成によると、生成制御部は、所定操作が検知された場合に、検知時から所定期間内において接続部が出力した画像信号に含まれるフレームのうち、単独で複合化可能なフレーム、例えばキーフレームより符号化画像を生成する。これにより、例えばＭＰＥＧ（Moving Picture Experts Group）におけるＰピクチャのように、単独では欠落が生じる画像が印刷候補画像となることを回避することができる。
【００２５】
また、上記目的を達成するために本発明の印刷システムは、表示装置、印刷装置、及び画像再生装置を含む印刷システムにおいて、前記画像再生装置が、前記表示装置又は前記印刷装置を接続して画像信号を含む情報信号を入出力する接続部と、画像信号より予め定められた符号化方式の符号化画像を生成する画像生成部と、前記印刷装置が印刷に用いるために予め形式が定められた印刷用情報を前記符号化画像より生成する印刷用情報生成部と、前記表示装置が画像の表示制御に使用している制御情報の取得リクエストを、前記接続部を用いて前記表示装置へ送信する制御情報取得部と、前記操作部が予め定められた操作を検知した場合に、前記検知の時点において前記接続部が出力している画像信号より符号化画像を生成するとともに、該符号化画像を前記制御情報に基づいて補正するよう前記画像生成部を制御する生成制御部と、前記補正がなされた該符号化画像より前記印刷用情報を生成するよう前記印刷用情報生成部を制御し、生成された該印刷用情報及び印刷指示を前記接続部を用いて前記印刷装置へ送信する印刷制御部とを備え、前記表示装置が、前記制御情報取得部より前記取得リクエストを受け付け、前記画像再生装置へ前記制御情報を送信する制御部を備えることを特徴とする。
【００２６】
この構成によると、表示装置より取得した制御情報による補正を行った画像を、印刷装置で印刷することが可能である。
【００２７】
また、上記目的を達成するために本発明の印刷システムは、前記表示装置の備える制御部が、前記取得リクエストを受け付けた場合に、前記表示装置が画像の色調補正に用いる色調情報を前記制御情報として前記画像再生装置へ送信し、前記生成制御部が、生成した符号化画像を前記色調情報に基づいて色調補正するよう前記画像生成部を制御する。
【００２８】
この構成によると、表示装置より取得した色調情報を利用して色調補正を行った画像を、印刷装置で印刷することが可能である。
【発明の効果】
【００２９】
本発明によれば、ユーザが視聴している画像、つまり表示装置の画面に表示されている画像に近い色調の画像を、プリンタより印刷することが可能である。また印刷画像の色調補正を行いたい場合に、印刷装置や画像再生装置に対する操作を必要としない。このため、印刷装置や画像再生装置の操作に不慣れなユーザであっても、表示装置に対する色調設定という簡易な操作で、印刷画像の色調補正を行うことが可能である。
【００３０】
また本発明によれば、例えばＭＰＥＧにおけるＩピクチャのように単独で複合化可能なキーフレームより符号化画像を生成し、且つ印刷候補画像をユーザに提示して選択を受け付ける。このため、印刷画像にデータ欠落等の不具合が発生するのを回避し、よりユーザにとって望ましい画像の印刷を行うことが可能である。
【図面の簡単な説明】
【００３１】
【図１】本発明の画像再生装置が備える機能部の構成を示すブロック図である。
【図２】本発明の印刷システムの構成を示すブロック図である。
【図３】本発明の画像再生装置の内部構成を示すブロック図である。
【図４】本発明の第一の実施形態に係る印刷処理を示すフロー図である。
【図５】本発明の第二の実施形態に係る印刷処理を示すフロー図である。
【図６】本発明の第二の実施形態に係るサムネイル表示画面を示す画面図である。
【発明を実施するための形態】
【００３２】
以下に本発明の実施形態を、図面を参照しながら説明する。なお、ここで示す実施形態は一例であり、本発明はここに示す実施形態に限定されるものではない。
〈１−１．内部構成について〉
【００３３】
図２は、本発明の第一の実施形態に係る印刷システムのシステム構成を示すブロック図である。また図３は、本発明の第一の実施形態に係るＨＤＤレコーダ１（＝画像再生装置）の内部構成を示すブロック図である。なお、図３における矢印線は画像／音声データの流れを示している。また、矢印のない直線は、制御部１１が各装置に対する制御信号等を送受信するための通信バスを示している。
【００３４】
ＨＤＤレコーダ１は少なくとも、制御部１１、メモリ１２、操作部１３、フラッシュメモリ１４、放送受信部１５、ＨＤＤ１６、信号処理部１７、外部接続端子１８（＝接続部）を含むように構成されている。また外部接続される装置として、ディスプレイ２（＝表示装置）、及びプリンタ３（＝印刷装置）が存在する。
【００３５】
制御部１１は、ＨＤＤレコーダ１の各部材の駆動を制御することにより、画像／音声の再生処理、記録処理、出力処理等を統括制御するためのものである。制御部１１は例えば、複数のマイクロプロセッサから構成されている。また制御部１１は、制御部１１が備える演算処理装置上でプログラムを実行することにより実現される機能部として、後述するエンコーダ部１１ａ〜生成制御部１１ｅ（図１）を備えている。
【００３６】
メモリ１２は、ＨＤＤレコーダ１が保持する各種データを一時的に記録する媒体であり、例えば書き込み可能なＲＡＭ（Random Access Memory）等により構成されている。メモリ１２は、例えば制御部１１によって各種情報処理が行われる際の処理データや、ユーザから受けた指示命令等を一時的に記録しておくためのバッファメモリとしての役割を持つ。
【００３７】
操作部１３は、ユーザが画像／音声の再生等を行うための各種指示をＨＤＤレコーダ１に対して行うためのものである。操作部１３により出力された指示は、制御部１１により受け付けられる。指示を受け付けた制御部１１は、指示の内容に基づいて再生処理や記録処理等を行う。なお本実施形態の操作部１３は、後述するプリントキー（不図示）を含んでいる。ユーザはプリントキーを押下することにより、押下時にディスプレイ２に表示されている画像をプリンタ３により印刷可能である。
【００３８】
フラッシュメモリ１４は、ＥＥＰＲＯＭの一種で、デバイスの利用者が書き込み／消去可能なＲＯＭである。フラッシュメモリ１４は回路基板に実装したままで書き込み、消去ができるため、利用時に書き換えが必要な用途、例えば装置の動作設定データや、利用者固有の情報等を保存するのに用いられる。
【００３９】
放送受信部１５は、外部のアンテナ（不図示）に接続されてデジタル／アナログ放送の選局、受信、周波数変換、増幅、復調等を行う。放送受信部１５は、アナログ方式であればアナログチューナ、画像中間周波増幅回路、復調回路、及び増幅回路等を含むように構成されている。またデジタル方式であれば、デジタルチューナ、及び誤り訂正部等を含むように構成されている。
【００４０】
例えばデジタル放送を受信する場合、放送受信部１５に含まれるデジタルチューナが、中間周波信号の増幅及び検波を行う。これにより、ＭＰＥＧ２方式のデジタル信号であるＴＳ（＝Transport Stream）の取得を行う。なおＴＳとは、複数の番組の音声ＰＥＳ（Packetized Elementary Stream）、画像ＰＥＳ、及び付加情報を固定長のＴＳパケットに分割してつなぎ合わせたものである。取得されたＴＳは、制御部１１からの指示により、ＨＤＤ１６又は信号処理部１７へ与えられる。
【００４１】
ＨＤＤ１６は、デジタルデータを記録する磁気記録媒体である。本実施形態では、主に録画する画像／音声データや、プリンタ３により印刷を行うための印刷データ（＝印刷用情報）等を記録するのに用いられる。
【００４２】
信号処理部１７は、ＴＳを入力し、音声情報を含む音声デジタル信号と、画像情報を含む画像デジタル信号とに分離する多重分離部である。具体的には例えば、放送受信部１５より生成されたＴＳを、ＴＳパケットに分割する。そしてＴＳパケットを再結合することにより、音声／画像のＰＥＳを生成する。
【００４３】
そしてＰＥＳを結合することにより、ＥＳ（Elementary Stream＝符号化された音声／画像データ）を生成する。さらに信号処理部１７はＥＳの復号を行い、各種デジタル信号に変換する。復号により得られたデジタル信号は、記録する場合はＨＤＤ１６へ与えられる。またディスプレイ２等に出力する場合は、外部接続端子１８へ与えられる。
【００４４】
外部接続端子１８は、例えばＨＤＭＩ端子やＵＳＢ（Universal Serial Bus）端子等を含む、複数の入出力端子からなるインタフェースである。外部接続端子１８はこれらの入出力端子を用いて、ＨＤＤレコーダ１と外部の装置、例えばディスプレイ２やプリンタ３等を接続し、デジタル信号の入出力を行う。
【００４５】
ディスプレイ２は、特に図示していないが、表示部、操作部、制御部、記録部、及び接続部を備える表示装置である。例えば接続部に含まれるＨＤＭＩ端子に接続されたＨＤＭＩケーブルを介して、画像／音声を含むデジタル信号を受け付ける。そしてデジタル信号の複合化を行い、画像／音声の出力を行う。
【００４６】
またディスプレイ２が備える制御部は、表示部に表示する画像の色調設定、例えばブライトネスやコントラスト等の設定を、操作部により受け付ける。受け付けた設定内容は、色調情報として記録部に記録される。
【００４７】
またディスプレイ２の制御部は、ＣＥＣ等のプロトコルによる通信により、後述する色調情報取得部１１ｄ（図１）から色調情報の取得リクエストを受け付ける。この取得リクエストを検知した場合、記録部に記録されている色調情報を読み出し、ＨＤＭＩ端子及びＨＤＭＩケーブルを介してＨＤＤレコーダ１へ送信する。
【００４８】
プリンタ３は、ＨＤＭＩケーブルによりＨＤＤレコーダ１に接続される印刷装置である。プリンタ３は、ＣＥＣ等のプロトコルによる通信により、ＨＤＤレコーダ１より印刷データ及び印刷コマンドを受信する。そして印刷コマンドに基づいて、印刷データを用いた印刷処理を行う。
〈１−２．機能部の構成について〉
【００４９】
ここで、本発明の第一の実施形態に係るＨＤＤレコーダ１が印刷処理を実施するための各機能部の関係を、図１のブロック図を用いながら説明する。
【００５０】
図１に示すように本発明の印刷処理は、制御部１１が備えるエンコーダ部１１ａ（＝画像生成部）、印刷データ生成部１１ｂ（＝印刷用情報生成部）、印刷制御部１１ｃ、色調情報取得部１１ｄ（＝制御情報取得部）、及び生成制御部１１ｅにより実施される。
【００５１】
エンコーダ部１１ａは、信号処理部１７が生成した画像デジタル信号から、所定のフォーマット（＝符号化方式）でエンコードされた画像データ（＝符号化画像）を生成する。例えばエンコーダ部１１ａは、外部接続端子１８から出力されてディスプレイ２に表示されている画像をキャプチャし、キャプチャ画像をＪＰＥＧ（Joint Photographic Experts Group）形式でエンコードし、ＪＰＥＧ画像を生成する。
【００５２】
印刷データ生成部１１ｂは、画像を印刷するための印刷データを画像データから生成する。これにより例えば、エンコーダ部１１ａにより生成されたキャプチャ画像を用いて、印刷データを生成することが可能である。印刷データのデータ形式としては、例えばＸＨＴＭＬ−Ｐｒｉｎｔ形式の印刷データを用いる。なおＸＨＴＭＬ−Ｐｒｉｎｔ形式はＷ３Ｃ（World Wide Web Consortium）により策定された規格である。
【００５３】
印刷制御部１１ｃは、印刷用ＡＰＩ（Application Program Interface）の実行ならびに印刷データの転送制御を、外部接続端子１８を介して行う。また印刷制御部１１ｃは、プリンタ３において紙詰まりが発生した場合等に対応するための印刷エラー処理等も行う。
【００５４】
色調情報取得部１１ｄは、外部接続端子１８を用いてディスプレイ２より、ディスプレイ２が画像表示に用いる色調情報（＝制御情報）を取得する。取得した色調情報は、フラッシュメモリ１４に記録される。
【００５５】
生成制御部１１ｅは、操作部１３による所定操作を検知した場合、例えば操作部１３が含むプリントキーの押下が検知された場合に、外部接続端子１８が出力している画像デジタル信号より画像データを生成するよう、エンコーダ部１１ａに指示する。また生成制御部１１ｅは、色調情報取得部１１ｄが取得した色調情報に基づき、エンコーダ部１１ａが画像生成時に実施する色調補正の内容及び補正量を決定する。決定した内容は、エンコーダ部１１ａへ与えられる。
【００５６】
なお、上述した組み込みアプリケーションの実行に際して、ＨＤＤレコーダ１が行う印刷制御とディスプレイ２が実施する各種制御とが同期している必要がある。この同期をとるため、上述の各機能部とディスプレイ２が備える制御部とは、外部接続端子１８により互いに通信を行う。
〈１−３．印刷処理について〉
【００５７】
ここで、本発明の第一の実施形態に係るＨＤＤレコーダ１が実施する印刷処理を、図４のフロー図を用いながら説明する。
【００５８】
図４に示す処理は、ＨＤＤレコーダ１の電源が駆動しており、且つＨＤＤレコーダ１がディスプレイ２及びプリンタ３と接続されている状態において、任意のタイミングで開始可能である。
【００５９】
本処理の開始後、印刷制御部１１ｃはステップＳ１１０において、操作部１３に含まれるプリントキーの押下を検知したか否かを判定する。押下を検知していない場合、再びステップＳ１１０に移行し、プリントキーの押下を待ち受ける。
【００６０】
押下を検知した場合、印刷制御部１１ｃはステップＳ１２０において、ディスプレイ２及びプリンタ３の接続状態の確認を行う。つまり、両装置が外部接続端子１８により接続されており、且つ両装置の電源が起動状態であるか否かを判定する。
【００６１】
なお電源が起動状態であるか否かは、例えば外部接続端子１８に接続されたＨＤＭＩケーブルを介して所定の試験信号を送信することにより判定する。試験信号に対して正常応答が帰って来た場合、その装置が起動状態であるとみなす。
【００６２】
両装置が起動状態ではない場合、ステップＳ２００に移行し、エラー処理を行う。なおエラー処理は、例えば印刷不可であることを示す通知音をブザー（不図示）により出力する等により行う。
【００６３】
起動状態である場合、生成制御部１１ｅはステップＳ１３０において、外部接続端子１８を用いた画像信号出力が信号処理部１７により行われているか否かを判定する。出力が行われていない場合、ステップＳ２００に移行し、エラー処理を行う。
【００６４】
出力が行われている場合、色調情報取得部１１ｄはステップＳ１４０において、ディスプレイ２に設定されている色調情報を取得する。具体的には外部接続端子１８を用いて、ディスプレイ２へ色調情報の取得リクエストを送信する。この取得リクエストを受けたディスプレイ２の制御部は、予めディスプレイ２に設定されている色調情報を記録部から読み出し、色調情報取得部１１ｄへ送信する。
【００６５】
なお色調情報取得のタイミングはステップＳ１４０のタイミングに限定されるものではなく、例えば所定時間毎に定期的に取得を行い、予めフラッシュメモリ１４等の記録媒体に記録しておく形態でもよい。
【００６６】
次に生成制御部１１ｅはステップＳ１５０において、出力画像のキャプチャ処理をエンコーダ部１１ａへ指示する。つまり、信号処理部１７が外部接続端子１８を用いてディスプレイ２へ出力している画像信号を取得し、画像信号から所定フォーマットの画像データを生成することを指示する。なおこの際に生成制御部１１ｅは、予め色調情報取得部１１ｄが取得している色調情報を用いて画像データの色調補正を行うよう、エンコーダ部１１ａへ指示する。
【００６７】
次に印刷制御部１１ｃはステップＳ１６０において、エンコーダ部１１ａより生成された画像データ（＝キャプチャ画像）を使用して印刷データを生成するよう、印刷データ生成部１１ｂへ指示する。生成された印刷データは、ＨＤＤ１６等の記録媒体に記録される。
【００６８】
次に印刷制御部１１ｃはステップＳ１７０において、上記で生成された印刷データ及び所定の印刷コマンドを、外部接続端子１８を用いてプリンタ３へ送信する。これを受けたプリンタ３は印刷処理を開始し、その処理結果を印刷制御部１１ｃへ返す。
【００６９】
次に印刷制御部１１ｃはステップＳ１８０において、印刷コマンドに対する正常応答をプリンタ３より受信したか否かを判定する。正常応答を受信した場合、再びステップＳ１１０に移行する。正常応答を受信しなかった場合、ステップＳ２００に移行してエラー処理を行う。
【００７０】
以上に説明した本実施形態によれば、ユーザが視聴しているディスプレイ２の画面に近い色調の画像をプリンタ３で印刷することが可能である。またユーザが印刷画像の色調変更を行いたい場合に、ＨＤＤレコーダ１やプリンタ３に対する操作を必要としないため、これらの装置の操作に不慣れなユーザであっても、ディスプレイ２に対する直感的な操作で印刷画像の色調変更を行うことが可能である。
[実施の形態２]
【００７１】
次に、本発明の第二の実施形態について説明する。
〈２−１．内部構成について〉
【００７２】
第一の実施形態と同内容であるため、ここでは説明を省略する。
〈２−２．機能部の構成について〉
【００７３】
第一の実施形態と同じ構成であるが、印刷制御部１１ｃ及び生成制御部１１ｅの機能が一部異なる。
【００７４】
本実施形態の生成制御部１１ｅは、操作部１３により所定操作を検知した場合に、外部接続端子１８より出力されている画像信号より複数フレーム分のキャプチャ画像を生成する。具体的には例えば、プリントキーが押下された時点から前後数フレームに存在する全てのキーフレーム（＝単独で複合化可能なフレーム）から画像を生成するよう、エンコーダ部１１ａに指示する。なおキーフレームとは、例えばＭＰＥＧではＩピクチャがこれに相当する。
【００７５】
また本実施形態の生成制御部１１ｅは、生成した複数のキャプチャ画像のサムネイル画像を生成するよう、エンコーダ部１１ａに指示する。生成されたサムネイル画像は、印刷制御部１１ｃに与えられる。
【００７６】
本実施形態の印刷制御部１１ｃは、上記のサムネイル画像が生成された場合に、サムネイル画像を含むサムネイル表示画面を表示するための画像信号を生成し、外部接続端子１８より出力する。これによりディスプレイ２の画面上にサムネイル表示画面が表示される。
【００７７】
この状態において印刷制御部１１ｃは、複数のサムネイル画像の中から一サムネイル画像が選択されるのを待ち受ける状態に移行する。なお選択操作は、操作部１３等により行われる。この状態で選択が行われると印刷制御部１１ｃは、選択されたサムネイル画像の作成元となったキャプチャ画像を用いて印刷データを生成するよう、印刷データ生成部１１ｂに指示する。
【００７８】
図６は、上記の処理によりディスプレイ２に表示されるサムネイル表示画面の一例である。図６に示すように本実施形態のサムネイル表示画面５０は少なくとも、サムネイル画像５１、及びカーソル５２を含むように構成されている。なお図６には図示していないが、この他にタイトルや再生時間、操作メニューを表示するための文字情報等がＯＳＤ処理によって生成されて表示されている形態でもよい。
【００７９】
図６には、エンコーダ部１１ａにより生成された三つのサムネイル画像５１（サムネイル画像５１ａ〜サムネイル画像５１ｃ）が表示されている。ユーザは操作部１３を用いてカーソル５２を操作することにより、サムネイル画像５１の選択を行うことが可能である。
【００８０】
図６の例では、サムネイル画像５１ａ及びサムネイル画像５１ｂに示されているフレームのサムネイル画像が不鮮明である。このためユーザは、サムネイル画像５１ｃを選択することにより、鮮明なフレームの画像を印刷することが可能である。
〈２−３．印刷処理について〉
【００８１】
ここで、本発明の第二の実施形態に係るＨＤＤレコーダ１が実施する印刷処理を、図５のフロー図を用いながら説明する。なお、第一の実施形態の図４と同内容の処理については、同じステップ番号を付加することにより説明を省略するものとする。
【００８２】
図５に示す処理は、ＨＤＤレコーダ１の電源が駆動しており、且つＨＤＤレコーダ１がディスプレイ２及びプリンタ３と接続されている状態において、任意のタイミングで開始可能である。
【００８３】
ステップＳ１１０〜ステップＳ１４０の実施後、生成制御部１１ｅはステップＳ１５１において、出力画像のキャプチャ処理を所定回数だけ行うよう、エンコーダ部１１ａへ指示する。なおこの際に生成制御部１１ｅは、予め取得している色調情報に基づいてキャプチャ画像の色調補正を行うよう、エンコーダ部１１ａへ指示する。
【００８４】
具体的には例えば、プリントキーが押下された時点から前後数フレームに存在するキーフレームから、キャプチャ画像を生成する。なお、前方フレームの画像がメモリ等に記録されておらず取得できない場合は、後方フレームのみから画像を生成する形態でもよい。また生成制御部１１ｅは、生成した各キャプチャ画像のサムネイル画像を生成するよう、エンコーダ部１１ａへ指示する。
【００８５】
次に印刷制御部１１ｃはステップＳ１５２において、生成されたサムネイル画像を含むサムネイル表示画面５０（図６）を表示するための画像信号を生成し、外部接続端子１８より出力する。これにより、サムネイル表示画面５０がディスプレイ２に表示される。そして複数のサムネイル画像５１の中から一つのサムネイル画像５１が選択されるのを待ち受ける待ち受け状態に移行する。
【００８６】
次に印刷制御部１１ｃはステップＳ１５３において、サムネイル画像５１の選択指示を検知したか否かを判定する。検知していない場合、再びステップＳ１５２に移行する。なお所定時間を経過しても選択指示が検知されなかった場合、ステップＳ２００に移行してエラー処理を行うことが望ましい。
【００８７】
選択指示を検知した場合、ステップＳ１６０に移行し、選択されたサムネイル画像５１の作成元となったキャプチャ画像の印刷処理を行う。なおステップＳ１６０以降の処理については第一の実施形態と同内容であるため、説明を省略する。
【００８８】
以上に説明した本実施形態によれば、例えばＭＰＥＧにおけるＩピクチャのようなキーフレームからキャプチャ画像を生成し、且つキャプチャ画像のサムネイル画像をユーザに提示して選択を受け付ける。このため、データ欠落やブレ等があるキャプチャ画像が印刷されてしまう不具合を回避し、よりユーザにとって望ましい画像の印刷を行うことが可能である。
［その他の実施の形態］
【００８９】
以上、好ましい実施の形態及び実施例を挙げて本発明を説明したが、本発明は必ずしも上記実施の形態に限定されるものではなく、その技術的思想の範囲内において様々に変形して実施することができる。
【００９０】
従って本発明は、以下の形態にも適用可能である。
【００９１】
（Ａ）上記実施形態では、画像再生装置の一例としてＨＤＤレコーダ１を例に挙げているが、これ以外の画像再生装置を用いて本発明を実施する形態でもよい。例えば、ＤＶＤ（Digital Versatile Disc）レコーダ、ＶＣＲ（Video Cassette Recorder）、ＳＴＢ（Set Top Box）等を用いる形態であってもよい。
【００９２】
（Ｂ）上記実施形態では、本発明の印刷処理に関わる各機能部が、マイクロプロセッサ等の演算処理装置上でプログラムを実行することにより実現されているが、各機能部が複数の回路により実現される形態でもよい。
【００９３】
（Ｃ）上記実施形態では、本発明の印刷処理に関わる各機能部がＨＤＤレコーダ１の内部に備わっている構成を例として説明したが、これらの一部或いは全部がネットワークを介して接続された外部装置により実現される形態であってもよい。例えば、画像から印刷データを生成する処理を、印刷データ生成部１１ｂではなく外部の情報処理サーバ（不図示）により実施する形態でもよい。
【００９４】
（Ｄ）上記実施形態では、画像再生装置、印刷装置、及び表示装置を接続する接続手段としてＨＤＭＩを例に説明を行っているが、これ以外の接続手段により各装置を接続して、上述の印刷処理を実施する形態でもよい。例えばＵＳＢケーブルを接続手段として用いる形態でもよい。
【００９５】
（Ｅ）上記実施形態では、画像再生装置と表示装置とが互いに独立した装置となっているが、画像再生装置と表示装置とが一体となった複合機において本発明を実施する形態でもよい。この場合、上述の各機能部及びプリントキーを複合機が備えており、プリントキーの押下を検知した段階で、複合機の画面に表示されている画像及び複合機に設定されている色調情報を用いて印刷データを生成し、複合機から印刷装置へ印刷データを送信する。
【００９６】
（Ｆ）上記実施形態では、表示装置より取得してキャプチャ画像に反映する制御情報として色調情報を例に説明を行っているが、これ以外の制御情報を取得してキャプチャ画像に反映させる形態でもよい。例えば色調情報取得部１１ｄが、表示装置に設定されている表示解像度情報を制御情報として取得し、この表示解像度情報が示す解像度のキャプチャ画像を生成するよう、生成制御部１１ｅがエンコーダ部１１ａへ指示する形態でもよい。
【符号の説明】
【００９７】
１      ＨＤＤレコーダ（画像再生装置）
２      ディスプレイ（表示装置）
３      プリンタ（印刷装置）
１１    制御部
１１ａ  エンコーダ部（画像生成部）
１１ｂ  印刷データ生成部（印刷用情報生成部）
１１ｃ  印刷制御部
１１ｄ  色調情報取得部（制御情報取得部）
１１ｅ  生成制御部
１３    操作部
１８    外部接続端子（接続部）
【図１】
2010288034.tif 000003
【図２】
2010288034.tif 000004
【図３】
2010288034.tif 000005
【図４】
2010288034.tif 000006
【図５】
2010288034.tif 000007
【図６】
2010288034.tif 000008